(57)【要約】      （修正有）【課題】広角端の開放Ｆ値が２．８程度でズーミングにより変化する大口径標準ズームレンズ用のズームレンズ系であって、特に防振機構とインナーフォーカス機構とを搭載しながら、十分な小型化を実現し、最短撮影距離の短縮を図った高性能なズームレンズ系を提供する。【解決手段】物体側から像面側に順に、正の屈折力を持つ第１レンズ群Ｇ１、負の屈折力を持つ第２レンズ群Ｇ２、正の屈折力を持つ第３レンズ群Ｇ３、正の屈折力を持つ第４レンズ群Ｇ４からなり、第３レンズ群は、正の屈折力を持つ第３Ａレンズ群Ｇ３Ａと負または正の屈折力を持つ第３Ｂレンズ群Ｇ３Ｂとからなり、広角端から望遠端へのズーミングに際して第１レンズ群と第２レンズ群との間隔が大きく、第２レンズ群と第３レンズ群との間隔が小さく、第３レンズ群と第４レンズ群との間隔が小さくなり、防振レンズは第３Ｂレンズ群の全体または一部であることを特徴とするズームレンズ系。【選択図】図１
2014044243.tif 000002
【特許請求の範囲】
【請求項１】
物体側から像面側に順に、正の屈折力を持つ第１レンズ群、負の屈折力を持つ第２レンズ群、正の屈折力を持つ第３レンズ群、正の屈折力を持つ第４レンズ群からなり、前記第３レンズ群は、正の屈折力を持つ第３Ａレンズ群と負または正の屈折力を持つ第３Ｂレンズ群とからなり、広角端から望遠端へのズーミングに際して前記第１レンズ群と前記第２レンズ群との間隔が大きく、前記第２レンズ群と前記第３レンズ群との間隔が小さく、前記第３レンズ群と前記第４レンズ群との間隔が小さくなり、
防振に際して１枚の負レンズから成る防振レンズが光軸と略垂直方向に動き、
前記防振レンズは前記第３Ｂレンズ群の全体または一部であり、
以下に示す条件式（１）及び（２）を満足することを特徴とするズームレンズ系。
（１）−２．０＜ｆ３Ａ／ｆ３Ｂ＜２．０
（２）１．５＜｜ｆＯＳ／ｆ３｜＜３．０
ｆ３Ａ：前記第３Ａレンズ群の焦点距離
ｆ３Ｂ：前記第３Ｂレンズ群の焦点距離
ｆＯＳ：前記防振レンズの焦点距離
ｆ３：前記第３レンズ群の焦点距離
【請求項２】
以下に示す条件式（３）を満足することを特徴とする請求項１記載のズームレンズ系。
（３）１．０＜ｆ１／ｆｔ＜２．０
ｆ１：前記第１レンズ群の焦点距離
ｆｔ：ズームレンズ系の望遠端での焦点距離
【請求項３】
無限遠から近距離物体への合焦に際して、前記第２レンズ群を物体側に移動させ、以下に示す条件式（４）を満足することを特徴とする請求項１または２記載のズームレンズ系。
（４）０．３＜｜ｆ２／ｆｗ｜＜１．１
ｆ２：前記第２レンズ群の焦点距離
ｆｗ：ズームレンズ系の広角端での焦点距離
【請求項４】
以下に示す条件式（５）を満足することを特徴とする請求項１乃至３いずれかに記載のズームレンズ系。
（５）０．５＜ｆ３／ｆ４＜１．５
ｆ４：前記第４レンズ群の焦点距離
【請求項５】
前記第３Ｂレンズ群は、物体側から像面側に順に、負の屈折力を持つ第３Ｂ１レンズ群と、正または負の屈折力を持つ第３Ｂ２レンズ群からなり、前記第３Ｂ１レンズ群は前記防振レンズであり、前記防振レンズは物体側に凹面を持ち、以下に示す条件式（６）を満足することを特徴とする請求項１乃至４いずれかに記載のズームレンズ系。
（６）−３．０＜ｆ３Ｂ１／ｆ３Ｂ２＜２．０
ｆ３Ｂ１：前記第３Ｂ１レンズ群の焦点距離
ｆ３Ｂ２：前記第３Ｂ２レンズ群の焦点距離
【請求項６】
前記防振レンズは少なくとも１面に非球面を持つことを特徴とする請求項１乃至５いずれかに記載のズームレンズ系。
【請求項７】
前記防振レンズは以下に示す条件式（７）及び（８）を満足することを特徴とする請求項１乃至６いずれかに記載のズームレンズ系。
（７）ｎｄＯＳ＞１．５５
（８）νｄＯＳ＞５５．０
ｎｄＯＳ：前記防振レンズの屈折率
νｄＯＳ：前記防振レンズのアッベ数
【請求項８】
前記第４レンズ群は、少なくとも２枚の正レンズと１枚の負レンズとからなり、少なくとも１面に非球面を有することを特徴とする請求項１乃至７いずれかに記載のズームレンズ系。
【発明の詳細な説明】
【技術分野】
【０００１】
本発明はスチルカメラ、ビデオカメラ等の撮像装置に好適な撮影レンズのうち、大口径標準ズームレンズに用いられるズームレンズ系に関し、特に防振機構とインナーフォーカス機構とを搭載しながら、小型化と良好な光学性能を実現した、高性能なズームレンズ系に関する。
【背景技術】
【０００２】
スチルカメラ、ビデオカメラ等の撮像装置に用いられる大口径の標準ズームレンズ、特に防振機構を備え、最短撮影距離を短くしたズームレンズ系においては、後述する理由により一般的な標準ズームレンズよりも大型化する傾向にあるため、小型化に対する要望が多い。特に、レンズ鏡筒の中でもズーム操作環、フォーカス操作環等のユーザが操作の際に触れる部分は、外径の拡大が操作性を大きく悪化させるため、スリム化が望まれている。また、撮影レンズの大型化によって、小型軽量なカメラとのマッチングが悪化したり、携帯性を損なったりするため、小型化に対する要望は極めて多い。
【０００３】
一般的に標準系のズームレンズを大口径化するには、開口絞り前後の各レンズのレンズ径を大きくする必要がある。さらに十分な収差補正を行いながら周辺光量を確保するためには、入射側及び射出側の各レンズのレンズ径も大きくする必要がある。そのため、レンズ鏡筒の全長および外径が大きくなる傾向にある。また大口径化に伴って開口絞り径、並びに開口絞り付近のレンズ外径も大きくなることで、レンズ鏡筒の外径だけでなく重量も増大する傾向にある。
【０００４】
また、最短撮影距離を短く設定しようとすると、望遠端、広角端ともに近距離撮影時の焦点距離が短くなるため、画角が広くなる。その際に周辺光量を確保するには、入射側及び射出側の各レンズのレンズ径を大きくしなくてはならないため、レンズ鏡筒の全長および外径が大きくなる傾向にある。
【０００５】
また、レンズ鏡筒の全長を短縮しながら外径の小型化を図ろうとすると、広角端のレンズ全長に対して適切なズーム移動量を設定して機構的な構成の簡略化を行わなくてはならない。
【０００６】
さらに近年、スチルカメラ、ビデオカメラ等の撮像装置に用いられる標準ズームレンズにおいては、手ぶれ等によって生じた光学系の振動による像ぶれを防止する機構、所謂防振機構の搭載が望まれている。しかしながら、防振機構はレンズ系の一部（防振レンズ）をシフトさせて結像位置を移動するため、防振機構を搭載した撮影レンズは径方向に大きくならざるを得ない。また、防振レンズの重量が大きいほど、防振レンズを移動させるアクチュエータを大型のものとしなければならないため、撮影レンズの外径拡大に繋がる。さらに、防振レンズの径が大きいほど防振機構の径が大きくなり、これに伴って撮影レンズの外径が拡大する。
【０００７】
一方、防振機構を採用した大口径の標準ズームレンズの小型化は、光学性能の低下や製造誤差に対する敏感度の増大を招く原因となる。そのため、小型化と性能の両立が大きな課題となっている。
【０００８】
加えて、スチルカメラ、ビデオカメラ等の撮像装置に用いられる標準ズームレンズにおいては、迅速なフォーカシングと最短撮影距離の短縮が望まれているため、インナーフォーカス機構の採用によってこれを実現しようとする試みがなされている（例えば特許文献１）。
【先行技術文献】
【特許文献】
【０００９】
【特許文献１】特開２０１１−１２８３６１号公報
【発明の概要】
【発明が解決しようとする課題】
【００１０】
特許文献１には広角端の開放Ｆ値が２．８の防振機構を採用した大口径標準ズームレンズが開示されている。しかし、このズームレンズにはレンズ全長の小型化が不十分であるだけでなく、防振レンズ群が負レンズと正レンズから成る接合レンズで構成されているために防振レンズの重量が増大し、防振機構のアクチュエータの大型化によってレンズ鏡筒の外径が拡大するという課題がある。
【００１１】
また前述のように、防振機構を採用した大口径の標準ズームレンズの小型化に伴って生じる光学性能の低下や製造誤差に対する敏感度の増大が課題となる。
【００１２】
さらに、レンズ鏡筒の外径を小さくするために各レンズ群において適切なレンズ径を設定をすること、レンズ鏡筒の全長を短縮するために広角端のレンズ全長に対して各レンズ群で適切なズーム移動量を設定することが課題となる。
【００１３】
即ち本発明は、スチルカメラ、ビデオカメラ等の撮像装置に好適な、広角端の開放Ｆ値が２．８程度でズーミングにより変化する大口径標準ズームレンズに用いられるズームレンズ系であって、特に防振機構とインナーフォーカス機構とを搭載しながら、十分な小型化を実現し、最短撮影距離の短縮を図った高性能なズームレンズ系を提供することを目的とする。
【課題を解決するための手段】
【００１４】
上記課題を解決するための手段である第１の発明は、物体側から像面側に順に、正の屈折力を持つ第１レンズ群、負の屈折力を持つ第２レンズ群、正の屈折力を持つ第３レンズ群、正の屈折力を持つ第４レンズ群からなり、前記第３レンズ群は、正の屈折力を持つ第３Ａレンズ群と負または正の屈折力を持つ第３Ｂレンズ群とからなり、広角端から望遠端へのズーミングに際して前記第１レンズ群と前記第２レンズ群との間隔が大きく、前記第２レンズ群と前記第３レンズ群との間隔が小さく、前記第３レンズ群と前記第４レンズ群との間隔が小さくなり、防振に際して１枚の負レンズから成る防振レンズが光軸と略垂直方向に動き、前記防振レンズは前記第３Ｂレンズ群の全体または一部であり、以下に示す条件式（１）及び（２）を満足することを特徴とするズームレンズ系である。
（１）−２．０＜ｆ３Ａ／ｆ３Ｂ＜２．０
（２）１．５＜｜ｆＯＳ／ｆ３｜＜３．０
ｆ３Ａ：前記第３Ａレンズ群の焦点距離
ｆ３Ｂ：前記第３Ｂレンズ群の焦点距離
ｆＯＳ：前記防振レンズの焦点距離
ｆ３：前記第３レンズ群の焦点距離
【００１５】
また第２の発明は、第１の発明であってさらに、以下に示す条件式（３）を満足することを特徴とするズームレンズ系である。
（３）１．０＜ｆ１／ｆｔ＜２．０
ｆ１：前記第１レンズ群の焦点距離
ｆｔ：ズームレンズ系の望遠端での焦点距離
【００１６】
また第３の発明は、第１または２の発明であってさらに、無限遠から近距離物体への合焦に際して、前記第２レンズ群を物体側に移動させ、以下に示す条件式（４）を満足することを特徴とするズームレンズ系である。
（４）０．３＜｜ｆ２／ｆｗ｜＜１．１
ｆ２：前記第２レンズ群の焦点距離
ｆｗ：ズームレンズ系の広角端での焦点距離
【００１７】
また第４の発明は、第１乃至３いずれかの発明であってさらに、以下に示す条件式（５）を満足することを特徴とするズームレンズ系である。
（５）０．５＜ｆ３／ｆ４＜１．５
ｆ４：前記第４レンズ群の焦点距離
【００１８】
また第５の発明は、第１乃至４いずれかの発明であってさらに、前記第３Ｂレンズ群は、物体側から像面側に順に、負の屈折力を持つ第３Ｂ１レンズ群と、正または負の屈折力を持つ第３Ｂ２レンズ群からなり、前記第３Ｂ１レンズ群は前記防振レンズであり、前記防振レンズは物体側に凹面を持ち、以下に示す条件式（６）を満足することを特徴とするズームレンズ系である。
（６）−３．０＜ｆ３Ｂ１／ｆ３Ｂ２＜２．０
ｆ３Ｂ１：前記第３Ｂ１レンズ群の焦点距離
ｆ３Ｂ２：前記第３Ｂ２レンズ群の焦点距離
【００１９】
また第６の発明は、第１乃至５いずれかの発明であってさらに、前記防振レンズは少なくとも１面に非球面を持つことを特徴とするズームレンズ系である。
【００２０】
また第７の発明は、第１乃至６いずれかの発明であってさらに、前記防振レンズは以下に示す条件式（７）及び（８）を満足することを特徴とするズームレンズ系である。
（７）ｎｄＯＳ＞１．５５
（８）νｄＯＳ＞５５．０
ｎｄＯＳ：前記防振レンズの屈折率
νｄＯＳ：前記防振レンズのアッベ数
【００２１】
また第８の発明は、第１乃至７いずれかの発明であってさらに、前記第４レンズ群は、少なくとも２枚の正レンズと１枚の負レンズとからなり、少なくとも１面に非球面を有することを特徴とするズームレンズ系である。
【発明の効果】
【００２２】
本発明によれば、スチルカメラ、ビデオカメラ等の撮像装置に好適な、広角端の開放Ｆ値が２．８程度でズーミングにより変化する大口径標準ズームレンズに用いられるズームレンズ系であって、特に防振機構とインナーフォーカス機構とを搭載しながら、十分な小型化を実現し、最短撮影距離の短縮を図った高性能なズームレンズ系を提供することができる。
【図面の簡単な説明】
【００２３】
【図１】本発明のズームレンズ系の実施例１に係る無限遠におけるレンズ構成図である。
【図２】実施例１のズームレンズ系の広角端の無限遠における縦収差図である。
【図３】実施例１のズームレンズ系の中間焦点距離の無限遠における縦収差図である。
【図４】実施例１のズームレンズ系の望遠端の無限遠における縦収差図である。
【図５】実施例１のズームレンズ系の広角端の撮影距離２２０ｍｍにおける縦収差図である。
【図６】実施例１のズームレンズ系の中間焦点距離の撮影距離２２０ｍｍにおける縦収差図である。
【図７】実施例１のズームレンズ系の望遠端の撮影距離２２０ｍｍにおける縦収差図である。
【図８】実施例１のズームレンズ系の広角端の無限遠における横収差図である。
【図９】実施例１のズームレンズ系の中間焦点距離の無限遠における横収差図である。
【図１０】実施例１のズームレンズ系の望遠端の無限遠における横収差図である。
【図１１】本発明のズームレンズ系の実施例２に係る無限遠におけるレンズ構成図である。
【図１２】実施例２のズームレンズ系の広角端の無限遠における縦収差図である。
【図１３】実施例２のズームレンズ系の中間焦点距離の無限遠における縦収差図である。
【図１４】実施例２のズームレンズ系の望遠端の無限遠における縦収差図である。
【図１５】実施例２のズームレンズ系の広角端の撮影距離２２０ｍｍにおける縦収差図である。
【図１６】実施例２のズームレンズ系の中間焦点距離の撮影距離２２０ｍｍにおける縦収差図である。
【図１７】実施例２のズームレンズ系の望遠端の撮影距離２２０ｍｍにおける縦収差図である。
【図１８】実施例２のズームレンズ系の広角端の無限遠における横収差図である。
【図１９】実施例２のズームレンズ系の中間焦点距離ｍｍの無限遠における横収差図である。
【図２０】実施例２のズームレンズ系の望遠端の無限遠における横収差図である。
【図２１】本発明のズームレンズ系の実施例３に係る無限遠におけるレンズ構成図である。
【図２２】実施例３のズームレンズ系の広角端の無限遠における縦収差図である。
【図２３】実施例３のズームレンズ系の中間焦点距離ｍｍの無限遠における縦収差図である。
【図２４】実施例３のズームレンズ系の望遠端の無限遠における縦収差図である。
【図２５】実施例３のズームレンズ系の広角端の撮影距離２２０ｍｍにおける縦収差図である。
【図２６】実施例３のズームレンズ系の中間焦点距離の撮影距離２２０ｍｍにおける縦収差図である。
【図２７】実施例３のズームレンズ系の望遠端の撮影距離２２０ｍｍにおける縦収差図である。
【図２８】実施例３のズームレンズ系の広角端の無限遠における横収差図である。
【図２９】実施例３のズームレンズ系の中間焦点距離の無限遠における横収差図である。
【図３０】実施例３のズームレンズ系の望遠端の無限遠における横収差図である。
【図３１】本発明のズームレンズ系の実施例４に係る無限遠におけるレンズ構成図である。
【図３２】実施例４のズームレンズ系の広角端の無限遠における縦収差図である。
【図３３】実施例４のズームレンズ系の中間焦点距離の無限遠における縦収差図である。
【図３４】実施例４のズームレンズ系の望遠端の無限遠における縦収差図である。
【図３５】実施例４のズームレンズ系の広角端の撮影距離２２０ｍｍにおける縦収差図である。
【図３６】実施例４のズームレンズ系の中間焦点距離の撮影距離２２０ｍｍにおける縦収差図である。
【図３７】実施例４のズームレンズ系の望遠端の撮影距離２２０ｍｍにおける縦収差図である。
【図３８】実施例４のズームレンズ系の広角端の無限遠における横収差図である。
【図３９】実施例４のズームレンズ系の中間焦点距離の無限遠における横収差図である。
【図４０】実施例４のズームレンズ系の望遠端の無限遠における横収差図である。
【発明を実施するための形態】
【００２４】
本発明のズームレンズ系は、第１の発明として、図１、図１１、図２１、及び図３１に示すレンズ構成図からわかるように、物体側から像面側に順に、正の屈折力を持つ第１レンズ群、負の屈折力を持つ第２レンズ群、正の屈折力を持つ第３レンズ群、正の屈折力を持つ第４レンズ群からなり、前記第３レンズ群は、正の屈折力を持つ第３Ａレンズ群と負または正の屈折力を持つ第３Ｂレンズ群とからなり、広角端から望遠端へのズーミングに際して前記第１レンズ群と前記第２レンズ群との間隔が大きく、前記第２レンズ群と前記第３レンズ群との間隔が小さく、前記第３レンズ群と前記第４レンズ群との間隔が小さくなり、防振に際して１枚の負レンズから成る防振レンズが光軸と略垂直方向に動き、前記防振レンズは前記第３Ｂレンズ群の全体または一部であることを特徴とする構成を備える。
【００２５】
防振機構を備えたレンズ系において、鏡筒外径の小型化にあたって最も重要なのは、防振レンズのレンズ径およびレンズ重量の削減である。防振レンズのレンズ径を小さくすると、防振レンズの軽量化が可能であり、さらにアクチュエータ等を含めた防振ユニットの小型化と軽量化が出来るので、レンズ鏡筒の小型化に最も寄与することが出来る。
【００２６】
さらにズームレンズ系を小型化するには、開口絞り径を小さくすること、ズーミング時のズーム移動量を抑えながら広角端におけるズームレンズ系の全長を短縮することを実現する必要がある。
【００２７】
本発明では、正の屈折力を持つ第３レンズ群に防振レンズを配置することで、防振レンズのレンズ径を小さくし、防振ユニットの小径化を実現した。また、防振ユニットや電子基板等の電装部品を広角端における開口絞りユニットの位置よりも像面側に配置することができた。そのため、機構的な制約が少なく、レンズ鏡筒の外径を小さくするのに適した構成となった。
【００２８】
さらに第３レンズ群は、強い正の屈折力に設定する必要がある。これは、フォーカシングに用いる第２レンズ群の強い負の屈折力により射出された発散光束を効果的に収斂させる役割を担うためである。また第３レンズ群について、防振ユニットを小型化するためには防振レンズを有する第３Ｂレンズ群のレンズ径を小さくしなくてはならない。そこで本発明では、第３レンズ群を構成する第３Ａレンズ群と第３Ｂレンズ群の屈折力比を適切に設定したことで、本ズームレンズ系において防振レンズの小型化を実現した。さらに、第３Ｂレンズ群の屈折力を適切に設定したことで、防振レンズを小型化しながら、防振時の結像性能の低下を抑えたズームレンズ系を実現した。
【００２９】
また、防振レンズのレンズ径を小さくするには、望遠端での開口絞り径が小さくなるようにパワー配置を設定すればよい。本発明では、第３レンズ群のズーム移動量が小さくなるよう適切に設定したことで、望遠端での開口絞り径を小さくすることができた。なお、開口絞り径を小さくしたことで絞りユニットの小型化も可能となり、レンズ鏡筒の外径を小さくするのに適した構成となった。
【００３０】
また、ミラーアップ機構を採用する一眼レフシステムの交換レンズに適応するためには、適切なバックフォーカスを確保しておかなくてはならないが、各群の屈折力を強くすると、広角端のバックフォーカスが小さくなる。
【００３１】
その一方、広角端でレトロフォーカスのパワー配置を構成するズームレンズにおいて、広角端でのレンズ全長を小さくするには、第１レンズ群と第２レンズ群で構成される負の屈折力を有する前群、第３レンズ群と第４レンズ群で構成される正の屈折力を有する後群について、それぞれ屈折力を強く設定しなければならない。
【００３２】
しかし、後群の屈折力を強く設定することで広角端のレンズ全長の小型化を図ろうとすると、開口絞りの位置を像面側に近付ける必要がある。このようにすると絞りユニット、防振ユニット、基盤等の電装部品など、絞りユニットよりも像面側に配置することが小型化に寄与する各パーツを配置するスペースが不足する。
【００３３】
さらに広角端のレンズ全長を過度に小さくすると、広角端での性能低下が顕著になることや、変倍時に各群のズーム移動量が大きくなることにより鏡筒が機構的に複雑になるなど、様々な問題が生じる。
【００３４】
そこで本発明では、前述の様々な制約を考慮しながら各群の屈折力を設定することで、広角端と望遠端におけるレンズ全長を小型化出来るようにした。
【００３５】
さらに、先に述べたように、撮影レンズの鏡筒外径を小型化するには、防振ユニットの小型化が有効である。防振ユニットの小型化には防振レンズを簡易な構成とすればよい。本発明においては、防振レンズの大幅な小型軽量化を実現するため、防振レンズを負の屈折力を持つ単レンズのみで構成した。
【００３６】
しかしながら、防振レンズを負の屈折力を持つ単レンズのみで構成するには、適切な防振効果を得るために十分な防振敏感度を確保しつつも、防振時の収差補正が課題となるので、防振レンズを適切なパワーに設定する必要があった。そこで、第３Ｂ１レンズのパワーを適切に設定したことで、防振レンズの小型軽量化を図りながら、防振時の結像性能の低下を抑えたズームレンズ系が実現出来た。
【００３７】
そこで第１の発明であるズームレンズ系は、以下に示す条件式（１）及び（２）を満足することを特徴とする。
（１）−２．０＜ｆ３Ａ／ｆ３Ｂ＜２．０
（２）１．５＜｜ｆＯＳ／ｆ３｜＜３．０
ｆ３Ａ：前記第３Ａレンズ群の焦点距離
ｆ３Ｂ：前記第３Ｂレンズ群の焦点距離
ｆＯＳ：前記防振レンズの焦点距離
ｆ３：前記第３レンズ群の焦点距離
【００３８】
条件式（１）は、第３Ａレンズ群と第３Ｂレンズ群の焦点距離の比を規定する式であり、第２レンズ群から射出される発散光束を第３Ａレンズにより収斂させる作用と、防振機構を有する第３Ｂレンズ群の屈折力をバランスさせる条件を示している。
【００３９】
条件式（１）の下限を超えて、第３Ａレンズ群の正屈折力が弱くなると、第３Ａレンズ群による収斂作用が低減されるので、第３Ｂレンズ群に配置される防振レンズのレンズ径が大きくなる。さらに第３Ｂレンズ群のの負屈折力も強くなる傾向があるので、防振時の偏芯コマ収差或いは、色収差の収差補正が困難になる。
【００４０】
条件式（１）の上限を超えて、第３Ｂレンズ群の正屈折力が強くなると、第３レンズ群全体の正の屈折力が強くなり、第３レンズ群全体の偏芯による製造誤差敏感度が大きくなり製造時の光学性能が低下する。
【００４１】
なお、上述した条件式（１）について、その下限値をさらに―１．０に、また、上限値をさらに１．０とすることで、前述の効果をより確実にすることができる。
【００４２】
条件式（２）は、負の屈折力を持つ単レンズである防振レンズのパワーを規定する式であり、防振レンズが防振時に適切な敏感度を確保して、防振時の結像性能の低下を抑えるための条件を示す式である。
【００４３】
条件式（２）の下限を超えて、防振レンズの負屈折力が強くなると、防振レンズの移動量が小さく十分な防振効果を得られるが、防振時に発生する偏芯コマ収差、非点収差の補正が不足して、防振時の結像性能の低下を招く。
【００４４】
条件式（２）の上限を超えて、防振レンズの負屈折力が弱くなると、防振レンズの敏感度が小さくなり、十分な防振効果を得るためには、防振レンズの移動量を増加させる必要があり、防振ユニット外径の大型化を招き、さらに防振時の周辺光量低下および片絞りが悪化する傾向にある。
【００４５】
なお、上述した条件式（２）について、その下限値をさらに２．０に、また、上限値をさらに２．５とすることで、前述の効果をより確実にすることができる。
【００４６】
また第２の発明であるズームレンズ系は、第１の発明であってさらに、以下に示す条件式（３）を満足することを特徴とする。
（３）１．０＜ｆ１／ｆｔ＜２．０
ｆ１：前記第１レンズ群の焦点距離
ｆｔ：ズームレンズ系の望遠端での焦点距離
【００４７】
条件式（３）は、第１レンズ群の焦点距離とズームレンズ系の望遠端における焦点距離との比を規定する式であり、望遠端で十分な結像性能を得るために、望遠端の焦点距離に適した第１レンズ群の焦点距離を規定する。
【００４８】
条件式（３）の下限を超えると、第１レンズ群の正の屈折力が強くなるので、第１レンズ群内の各面で曲率が強くなる傾向にあり、球面収差、コマ収差の補正が不十分になる。さらに第１レンズ群のレンズ厚が増加する傾向にあるので、広角端で周辺光量の低下を招く。
【００４９】
条件式（３）の上限を超えると、第１レンズ群の正の屈折力が弱くなり、収差補正には有利な傾向となる。しかしながら、ズーミング時に第１レンズ群と第２レンズ群との間隔が大きくなるので、望遠端での軸外光束の主光線の光線高が大きくなる。そこで、フィルター径を小型化するために、第１レンズ群のレンズ径を小さくすると、特に近距離での防振時に周辺光量が十分に確保出来ないという問題が生じる。また、第１レンズ群のズーム移動量が大きくなる傾向にあるので、鏡筒の外径が大型化するという問題もある。
【００５０】
なお、上述した条件式（３）について、その下限値をさらに１．１に、また、上限値をさらに１．６とすることで、前述の効果をより確実にすることができる。
【００５１】
また第３の発明であるズームレンズ系は、第１または２の発明であってさらに、無限遠から近距離物体への合焦に際して、前記第２レンズ群を物体側に移動させ、以下に示す条件式（４）を満足することを特徴とする。
（４）０．３＜｜ｆ２／ｆｗ｜＜１．１
ｆ２：前記第２レンズ群の焦点距離
ｆｗ：ズームレンズ系の広角端での焦点距離
【００５２】
条件式（４）は、広角端におけるレンズ全長を小型化するため、負の屈折力を持つ第２レンズ群の焦点距離を適切に設定するために、第２レンズ群の焦点距離とズームレンズ系の広角端における焦点距離との比を規定する条件式である。
【００５３】
条件式（４）の下限を超えると、第２レンズ群の負の屈折力が強くなるので、第２レンズ群内の負レンズの曲率が強くなる傾向にあり、非点収差、コマ収差の補正が困難になる。そして、第２レンズ群の焦点距離が短くなると、第３レンズ群の焦点距離も同時に強くする必要があるので、球面収差の補正も困難になる。
【００５４】
条件式（４）の上限を超えると、第２レンズ群の負の屈折力が弱くなるので、最短撮影距離を十分に短縮させるためには、第２レンズ群のフォーカス時の移動量を十分に確保する必要がある。広角端で第１レンズ群と第２レンズ群のレンズ間隔を大きく設定すると、十分な周辺光量を確保するためには、第１レンズ群の外径が大きくなり、フィルターサイズの大型化を招く。
【００５５】
なお、上述した条件式（４）について、その下限値をさらに０．５に、また、上限値をさらに０．９とすることで、前述の効果をより確実にすることができる。
【００５６】
各レンズ群の屈折力が強いズームレンズ系においては、非点収差、及びコマ収差の補正が重要になる。これらの内、非点収差については前述のズームレンズ系の各焦点距離において、第３レンズ群と第４レンズ群とのレンズ間隔を適切に設定することで補正することができる。一方、コマ収差については、上記手法では補正が困難であり、本発明のような第３レンズ群の一部を防振レンズ群とするズームレンズ系ではコマ収差が発生する第３レンズ群の構成を工夫しなければならない。
【００５７】
そこで本発明では、第３レンズ群は、正の屈折力を持つ第３Ａレンズ群、負の屈折力を持つ第３Ｂ１レンズ、任意の屈折力を持つ第３Ｂ２レンズ群を有する構成とした。即ち、第３Ｂ２レンズ群を正の屈折力を持つ正メニスカスレンズとして任意に正のコマ収差を発生させる、或いは第３Ｂ２レンズ群を負の屈折力を持つ負メニスカスレンズとして任意に負のコマ収差を発生させることが可能となった。勿論、第３Ｂ２レンズ群を設けないことで、第３レンズ群において、過剰にコマ収差を発生させないことも可能である。なお、第３Ｂ２レンズ群を正の屈折力に設定するには、第４レンズ群の焦点距離に対して、第３レンズ群の焦点距離を短く設定すればよく、第３Ｂ２レンズ群を負の屈折力に設定するには、第４レンズ群の焦点距離に対して、第３レンズ群の焦点距離を長く設定すればよいので、第４レンズ群の焦点距離に対して第３レンズ群の焦点距離を適切に設定することが重要である。
【００５８】
そこで第４の発明であるズームレンズ系は、第１乃至３いずれかの発明であってさらに、以下に示す条件式（５）を満足することを特徴とする。
（５）０．５＜ｆ３／ｆ４＜１．５
ｆ４：前記第４レンズ群の焦点距離
【００５９】
条件式（５）は、第４レンズ群の焦点距離に対する第３レンズ群の焦点距離を規定する式である。先述の通り、第３Ｂ２レンズ群を負の屈折力に設定するためには、第４レンズ群の焦点距離に対して第３レンズ群の焦点距離を長く設定すれば良く、第３Ｂ２レンズ群を正の屈折力に設定するためには第４レンズ群の焦点距離に対する第３レンズ群の焦点距離を短く設定すればよい。
【００６０】
条件式（５）の下限を超えると、第３レンズ群の正の屈折力が強くなるので、第３レンズの各面で曲率が強くなる傾向にあり、球面収差、コマ収差の補正が不十分になる。また、第３レンズ群の偏芯による製造誤差敏感度が大きくなり製造時の光学性能が低下する。さらに、第３レンズ群の屈折力を強くすると、低屈折率で異常分散性が大きい硝種を選択し難くなるので、軸上色収差の補正が不十分になる。
【００６１】
条件式（５）の上限を超えると、第３レンズ群の正の屈折力が弱くなるか、第４レンズ群の正の屈折力が強くなるかの何れかとなる。第３レンズ群の正の屈折力が弱くなった場合、広角端において第３レンズ群から射出される光束が発散光束となるので、第４レンズ群に入射する光束径が大きくなる。これに伴い、第３レンズ群と第４レンズ群との間隔を小さくする必要が生じ、第３レンズ群を像面側に近づけることとなり、第３レンズ群に配置された防振ユニットも像面側に近づくので、レンズ鏡筒において最も像面側に配置するのが構造的に有利な電装部品等を配置するスペースが不足するという問題が生じる。また、第４レンズ群の正の屈折力が強くなった場合、第４レンズ群の偏芯による製造誤差敏感度が大きくなり製造時の光学性能が低下するという問題がある。
【００６２】
なお、上述した条件式（５）について、その下限値をさらに０．８に、また、上限値をさらに１．２とすることで、前述の効果をより確実にすることができる。
【００６３】
そこで第５の発明であるズームレンズ系は、第１乃至４いずれかの発明であってさらに、前記第３Ｂレンズ群は、物体側から像面側に順に、負の屈折力を持つ第３Ｂ１レンズ群と、正または負の屈折力を持つ第３Ｂ２レンズ群からなり、前記第３Ｂ１レンズ群は前記防振レンズであり、前記防振レンズは物体側に凹面を持ち、以下に示す条件式（６）を満足することを特徴とする。
（６）−３．０＜ｆ３Ｂ１／ｆ３Ｂ２＜２．０
ｆ３Ｂ１：前記第３Ｂ１レンズ群の焦点距離
ｆ３Ｂ２：前記第３Ｂ２レンズ群の焦点距離
【００６４】
条件式（６）は、第３Ｂ１レンズ（防振レンズ）と第３Ｂ２レンズ群との焦点距離の比を規定する式であり、第３Ｂ２レンズ群の焦点距離を任意に設定することで、第３Ｂ２レンズ群において適切にコマ収差をコントロールするための条件式である。
【００６５】
条件式（６）の下限を超えると、第３Ｂ１レンズの負屈折力に対して、第３Ｂ２レンズ群の正屈折力が強くなるので、第３Ｂ２レンズ群で発生する正成分のコマ収差が過剰に発生するという問題がある。
【００６６】
条件式（６）の上限を超えると、第３Ｂ２レンズ群の負屈折力が強くなるので、第３Ｂ２レンズ群で発生する負成分のコマ収差が過剰に発生するという問題がある。
【００６７】
なお、上述した条件式（６）について、その下限値をさらに―２．０に、また、上限値をさら１．０とすることで、前述の効果をより確実にすることができる。
【００６８】
また第６の発明であるズームレンズ系は、第１乃至５いずれかの発明であってさらに、前記防振レンズは少なくとも１面に非球面を持つことを特徴とする。
【００６９】
防振レンズを光軸と略垂直方向に移動させて防振を行ったときに、偏芯コマ収差、非点収差が発生して結像性能を低下させる問題がある。そこで本発明では、防振レンズに非球面レンズを使用することでこれらの収差の発生を防ぎ、防振時の結像性能の低下を改善している。
【００７０】
また第７の発明であるズームレンズ系は、第１乃至６いずれかの発明であってさらに、前記防振レンズは以下に示す条件式（７）及び（８）を満足することを特徴とする。
（７）ｎｄＯＳ＞１．５５
（８）νｄＯＳ＞５５．０
ｎｄＯＳ：前記防振レンズの屈折率
νｄＯＳ：前記防振レンズのアッベ数
【００７１】
前記第３Ｂレンズ群に配置され防振に用いる第３Ｂ１レンズは、１枚の単レンズからなるため、偏芯コマ収差補正、及び倍率色収差補正の観点から硝種の選択が非常に重要である。
【００７２】
そこで条件式（７）は、第３Ｂ１レンズの硝材の屈折率の範囲を規定する式であり、防振撮影時の中心コマ収差を補正するための条件である。
【００７３】
条件式（７）の下限を超えると、第３Ｂ１レンズの屈折率が低下するので、第３Ｂ１レンズの各面の曲率が強くなる傾向にあり、防振時に発生する偏芯コマ収差の補正が不十分になる。
【００７４】
なお、上述した条件式（７）について、その下限値をさらに１．５７とすることで、前述の効果をより確実にすることができる。
【００７５】
条件式（８）は、第３Ｂ１レンズの硝材のアッベ数の範囲を規定する式であり、防振撮影時の色収差の変化を抑制するための条件である。
【００７６】
条件式（８）の下限を超えると、第３Ｂ１レンズの分散が大きくなるので、防振時に発生する倍率色収差の補正が不十分になる。
【００７７】
なお、上述した条件式（８）について、その下限値をさらに６０．０とすることで、前述の効果をより確実にすることができる。
【００７８】
また第８の発明であるズームレンズ系は、第１乃至７いずれかの発明であってさらに、前記第４レンズ群は、少なくとも２枚の正レンズと１枚の負レンズとからなり、少なくとも１面に非球面を有することを特徴とする。
【００７９】
本発明において第４レンズ群は、正レンズと負レンズとを適切に組み合わせることにより、広角端および望遠端で問題になる倍率色収差を適切に補正する。第４レンズ群は、さらに少なくとも１面に非球面レンズを有することで、特に望遠端で問題になる球面収差、並びにズーム全域で問題になる非点収差の補正をすることができる。
【００８０】
次に、本発明のズームレンズ系に係る実施例のレンズ構成について説明する。なお、以下の説明ではレンズ構成を物体側から像面側の順番で記載する。
【実施例１】
【００８１】
図１は、本発明の実施例１のズームレンズ系のレンズ構成図である。第１レンズ群Ｇ１は、物体側に凸面を向けた負メニスカスレンズＬ１及び物体側に凸面を向けた正メニスカスレンズＬ２から成る正の屈折力を持つ接合レンズと、物体側に凸面を向けた正メニスカスレンズＬ３とから構成され、全体として正の屈折力を持つ。
【００８２】
第２レンズ群Ｇ２は、物体側に樹脂を接合し非球面を形成した物体側に凸面を向けた負メニスカスレンズＬ４、両凹レンズＬ５、両凸レンズＬ６、及び物体側に凹面を向けた負メニスカスレンズＬ７で構成され、全体として負の屈折力を持つ。
【００８３】
開口絞りＳは第２レンズ群と第３レンズ群の間に配置され、ズーミングに際して第３レンズ群Ｇ３と同じ軌跡で移動する。
【００８４】
第３レンズ群Ｇ３は、両凸レンズＬ８、並びに両凸レンズＬ９及び両凹レンズＬ１０で構成され、負の屈折力を持つ接合レンズから成り、正の屈折力を持つ第３Ａレンズ群Ｇ３Ａと、物体側に非球面を有する両凹レンズＬ１１で構成される第３Ｂ１レンズ群Ｇ３Ｂ１、及び物体側に凸面を持つ正メニスカスレンズＬ１２で構成される第３Ｂ２レンズ群Ｇ３Ｂ２から成り、正の屈折力を持つ第３Ｂレンズ群Ｇ３Ｂとから構成され、全体として正の屈折力を持つ。
【００８５】
第４レンズ群Ｇ４は、両面に非球面を有する両凸レンズＬ１３、物体側に凹面を向けた正メニスカスレンズＬ１４、物体側に凸面を向けた負メニスカスレンズＬ１５、及び物体側に凹面を向けた正メニスカスレンズＬ１６で構成され、全体として正の屈折力を持つ。
【実施例２】
【００８６】
図１１は、本発明の実施例２のズームレンズ系のレンズ構成図である。第１レンズ群Ｇ１は、物体側に凸面を向けた負メニスカスレンズＬ１及び物体側に凸面を向けた正メニスカスレンズＬ２から成る正の屈折力を持つ接合レンズ、並びに物体側に凸面を向けた正メニスカスレンズＬ３で構成され、全体として正の屈折力を持つ。
【００８７】
第２レンズ群Ｇ２は、物体側に樹脂を接合し非球面を形成した物体側に凸面を向けた負メニスカスレンズＬ４、両凹レンズＬ５、両凸レンズＬ６、及び物体側に凹面を向けた負メニスカスレンズＬ７で構成され、全体として負の屈折力を持つ。
【００８８】
開口絞りＳは第２レンズ群と第３レンズ群の間に配置され、ズーミングに際して第３レンズ群Ｇ３と同じ軌跡で移動する。
【００８９】
第３レンズ群Ｇ３は、両凸レンズＬ８、並びに両凸レンズＬ９及び物体側に凹面を持つ負メニスカスレンズＬ１０で構成され、正の屈折力を持つ接合レンズから成り、正の屈折力を持つ第３Ａレンズ群Ｇ３Ａと、物体側の面に非球面を有する両凹レンズＬ１１のみから構成される第３Ｂ１レンズ群Ｇ３Ｂ１、及び物体側に凹面を持つ負メニスカスレンズＬ１２のみから構成される第３Ｂ２レンズ群Ｇ３Ｂ２から成り、負の屈折力を持つ第３Ｂレンズ群Ｇ３Ｂとから構成され、全体として正の屈折力を持つ。
【００９０】
第４レンズ群Ｇ４は、両面に非球面を有する両凸レンズＬ１３、物体側に凹面を向けた正メニスカスレンズＬ１４、物体側に凹面を向けた負メニスカスレンズＬ１５、及び物体側に凹面を向けた正メニスカスレンズＬ１６で構成され、全体として正の屈折力を持つ。
【実施例３】
【００９１】
図２１は、本発明の実施例３のズームレンズ系のレンズ構成図である。第１レンズ群Ｇ１は、物体側に凸面を向けた負メニスカスレンズＬ１及び物体側に凸面を向けた正メニスカスレンズＬ２から成る正の屈折力を持つ接合レンズ、並びに物体側に凸面を向けた正メニスカスレンズＬ３で構成され、全体として正の屈折力を持つ。
【００９２】
第２レンズ群Ｇ２は、物体側に樹脂を接合し非球面を形成した物体側に凸面を向けた負メニスカスレンズＬ４、両凹レンズＬ５、両凸レンズＬ６、及び物体側に凹面を持つ負メニスカスレンズＬ７で構成され、全体として負の屈折力を持つ。
【００９３】
開口絞りＳは第２レンズ群と第３レンズ群の間に配置され、ズーミングに際して第３レンズ群Ｇ３と同じ軌跡で移動する。
【００９４】
第３レンズ群Ｇ３は、両凸レンズＬ８、並びに両凸レンズＬ９及び両凹レンズＬ１０で構成され、負の屈折力を持つ接合レンズから成り、正の屈折力を持つ第３Ａレンズ群Ｇ３Ａと、物体側の面に非球面を有する両凹レンズＬ１１で構成される第３Ｂ１レンズ群Ｇ３Ｂ１、及び物体側に凸面を向けた正メニスカスレンズＬ１２で構成される第３Ｂ２レンズ群Ｇ３Ｂ２から成り、正の屈折力を持つ第３Ｂレンズ群Ｇ３Ｂとから構成され、全体として正の屈折力を持つ。
【００９５】
第４レンズ群Ｇ４は、両面に非球面を有する両凸レンズＬ１３、物体側に平面を向けた負レンズＬ１４、及び物体側に凹面を向けた正メニスカスレンズＬ１５で構成され、全体として正の屈折力を持つ。
【００９６】
また、実施例１乃至３のズームレンズ系は、広角端から望遠端へのズーミングに際して、全てのレンズ群が像面側から物体側に移動し、第１レンズ群と第２レンズ群との間隔が大きく、第２レンズ群と第３レンズ群との間隔が小さく、第３レンズ群と第４レンズ群との間隔が小さくなり、開口絞りＳは第３レンズ群Ｇ３と同じ軌跡で移動する。また、実施例１乃至３のズームレンズ系は、無限遠から近距離物体への合焦に際して、第２レンズ群を物体側に移動させる。さらに、実施例１乃至３のズームレンズ系は、防振に際して防振レンズである第３Ｂ１レンズ群Ｇ３Ｂ１を光軸と略垂直方向に動かす。
【実施例４】
【００９７】
図３１は、本発明の実施例４のズームレンズ系のレンズ構成図である。第１レンズ群Ｇ１は、物体側に凸面を向けた負メニスカスレンズＬ１及び物体側に凸面を向けた正メニスカスレンズＬ２から成る正の屈折力を持つ接合レンズ、並びに物体側に凸面を向けた正メニスカスレンズＬ３とから構成され、全体として正の屈折力を持つ。
【００９８】
第２レンズ群Ｇ２は、物体側に樹脂を接合し非球面を形成した物体側に凸面を向けた負メニスカスレンズＬ４、両凹レンズＬ５、両凸レンズＬ６、及び物体側に凹面を持つ負メニスカスレンズＬ７で構成され、全体として負の屈折力を持つ。
【００９９】
開口絞りＳは第２レンズ群と第３レンズ群の間に配置され、ズーミングに際して第３レンズ群Ｇ３と同じ軌跡で移動する。
【０１００】
第３レンズ群Ｇ３は、両凸レンズＬ８、並びに両凸レンズＬ９及び物体側に凹面を向けた負メニスカスレンズＬ１０から構成され、負の屈折力を持つ接合レンズから成り、正の屈折力を持つ第３Ａレンズ群Ｇ３Ａと、物体側の面に非球面を有する両凹レンズＬ１１のみから成り、負の屈折力を持つ第３Ｂレンズ群Ｇ３Ｂとから構成され、全体として正の屈折力を持つ。
【０１０１】
第４レンズ群Ｇ４は、両面に非球面を有する両凸レンズＬ１４、両凹レンズＬ１５、及び両凸レンズＬ１６で構成され、全体として正の屈折力を持つ。
【０１０２】
また、実施例４のズームレンズ系は、広角端から望遠端へのズーミングに際して、全てのレンズ群が像面側から物体側に移動し、第１レンズ群と第２レンズ群との間隔が大きく、第２レンズ群と第３レンズ群との間隔が小さく、第３レンズ群と第４レンズ群との間隔が小さくなり、開口絞りＳは第３レンズ群Ｇ３と同じ軌跡で移動する。また、実施例４のズームレンズ系は、無限遠から近距離物体への合焦に際して、第２レンズ群を物体側に移動させる。さらに、実施例４のズームレンズ系は、防振に際して防振レンズである第３Ｂレンズ群Ｇ３Ｂを光軸と略垂直方向に動かす。
【０１０３】
以下に、前述した本発明の結像光学系の各実施例の具体的な数値データを示す。
【０１０４】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【０１０５】
面番号に付した＊（アスタリスク）は、そのレンズ面形状が非球面であることを示している。また、ＢＦはバックフォーカスを表している。
【０１０６】
面番号に付した（開口絞り）は、その位置に開口絞りが位置していることを示している。平面又は開口絞りに対する曲率半径には∞（無限大）を記入している。
【０１０７】
［非球面データ］には、［面データ］において＊を付したレンズ面の非球面形状を与える各係数値を示している。非球面の形状は、非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０次の非球面係数をそれぞれＡ４、Ａ６、Ａ８、Ａ１０と置くとき、非球面の座標が以下の式で表されるものとする。
2014044243.tif 000003
【０１０８】
［各種データ］には、ズーム比及び各焦点距離状態における焦点距離等の値を示している。
【０１０９】
［可変間隔データ］には、各焦点距離状態における可変間隔及びＢＦの値を示している。
【０１１０】
［レンズ群データ］には、各レンズ群を構成する最も物体側の面番号及び群全体の合成焦点距離を示している。
【０１１１】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１２】
数値実施例1
[面データ]
面番号          r                d             nd            vd
物面                ∞          (d0)
1            139.3070        1.6000      1.846664         23.78
2             62.8150        5.9000      1.729160         54.67
3            274.8590        0.1500
4             54.3790        5.0900      1.772500         49.62
5            160.5000          (d5)
6*            83.5110        0.1300      1.518400         52.10
7             55.4530        1.0000      1.883000         40.80
8             12.8650        6.1860
9            -31.9020        0.9000      1.883000         40.80
10            58.9580        0.3930
11            31.4740        5.7420      1.846664         23.78
12           -29.1400        0.7800
13           -19.0800        0.9000      1.729160         54.67
14          -147.2940         (d14)
15(開口絞り)            ∞        1.2480
16            52.9580        3.4260      1.723417         37.99
17           -31.0020        0.2060
18            26.3490        4.5040      1.437001         95.10
19           -22.6850        0.8000      2.001003         29.13
20            70.3370        2.1680
21*           -60.5000        0.9000      1.592014         67.02
22           347.1460        1.1720
23            39.7370        1.9520      1.805181         25.46
24           194.4240         (d24)
25*            40.8880        2.7010      1.592014         67.02
26*          -150.0000        0.9900
27           -38.8320        2.4320      1.437001         95.10
28           -21.7440        0.1500
29           168.1510        1.0000      2.001003         29.13
30            34.4330        2.3500
31         -1000.0000        3.7540      1.592824         68.62
32           -26.3180       38.4933
像面                ∞            BF
[非球面データ]
6面           21面          25面          26面
K               0.0000        0.0000        0.0000        0.0000
A4         1.79830E-05   4.04420E-06  -1.78420E-05   2.00260E-05
A6        -1.20820E-08   9.16760E-09  -8.33720E-08  -1.13040E-07
A8        -1.07960E-10  -2.34530E-10  -1.18510E-09  -1.16440E-09
A10         8.62360E-13   0.00000E+00  -2.87290E-13   0.00000E+00
[各種データ]
ズーム比            3.83
広角          中間          望遠
焦点距離           17.60         35.08         67.48
Fナンバー            2.93          3.48          4.13
全画角2ω           79.74         43.37         23.33
像高Y             14.20         14.20         14.20
レンズ全長         123.89        140.99        163.78
[可変間隔データ]
広角          中間          望遠
d0               ∞            ∞            ∞
d5             3.7000       19.8000       34.3899
d14            16.3550        7.0000        1.6000
d24             6.8190        2.4000        0.7000
BF            38.4933       53.2703       68.5684
広角          中間          望遠
d0            96.1087       79.0057       56.2177
d5             1.5857       16.6567       29.5302
d14            18.4693       10.1433        6.4598
d24             6.8190        2.4000        0.7000
BF            38.4932       53.2702       68.5683
[レンズ群データ]
群           始面        焦点距離
G1            1               90.61
G2            6              -12.18
G3            16              40.92
G4            25              39.97
G3A            16              47.09
G3B            21             201.26
G3B1           21             -86.96
G3B2           23              61.68
【０１１３】
数値実施例2
[面データ]
面番号            r             d             nd            vd
物面                ∞          (d0)
1            141.4520        1.6000      1.846664         23.78
2             62.3110        6.0600      1.729160         54.67
3            306.5540        0.1500
4             54.8380        5.0500      1.772500         49.62
5            160.5050          (d5)
6*            96.0000        0.1300      1.518400         52.10
7             59.9430        1.0000      1.883000         40.80
8             12.9340        6.0490
9            -33.0070        0.9000      1.883000         40.80
10            47.2750        0.5810
11            31.7560        4.7260      1.846664         23.78
12           -31.3740        1.0170
13           -18.1580        0.9000      1.593493         67.00
14          -131.8970         (d14)
15(開口絞り)            ∞        1.0000
16            30.6900        3.7680      1.567320         42.84
17           -30.9080        0.1500
18            27.3120        4.2560      1.437001         95.10
19           -24.2860        0.8000      2.001003         29.13
20          -107.4960        1.4450
21*           -60.4990        0.9000      1.592014         67.02
22           300.7900        2.6200
23           -27.8720        0.8000      1.772500         49.62
24           -41.2270         (d24)
25*           200.0170        1.9050      1.592014         67.02
26*           -43.6860        1.0590
27           -25.1060        2.2440      1.437001         95.10
28           -17.8810        0.1550
29           -51.2500        1.0000      2.001003         29.13
30         -2054.3000        1.7030
31          -260.0690        4.2130      1.592824         68.62
32           -22.4720       38.5000
像面                ∞            BF
[非球面データ]
6面           21面          25面          26面
K               0.0000        0.0000        0.0000        0.0000
A4         2.28080E-05   4.34980E-06   4.44360E-06   5.18550E-05
A6        -3.26780E-08   4.53310E-08  -8.26240E-08  -3.84070E-08
A8        -6.91750E-11  -5.04570E-10   8.82180E-10   7.70220E-10
A10         9.20490E-13   0.00000E+00   1.82980E-12   0.00000E+00
[各種データ]
ズーム比            3.83
広角          中間          望遠
焦点距離           17.59         34.97         67.46
Fナンバー            2.93          3.48          4.13
全画角2ω           79.77         43.39         23.32
像高Y             14.20         14.20         14.20
レンズ全長         120.18        138.15        161.22
[可変間隔データ]
広角          中間          望遠
d0              ∞            ∞            ∞
d5             3.6980       19.8000       34.4850
d14            16.1400        6.9000        1.5000
d24             5.6570        2.1500        0.7000
BF            38.5000       53.1225       68.3566
広角          中間          望遠
d0            99.8240       81.8465       58.7774
d5             1.6397       16.7053       29.6553
d14            18.1983        9.9947        6.3297
d24             5.6570        2.1500        0.7000
BF            38.5000       53.1226       68.3567
[レンズ群データ]
群           始面           焦点距離
G1            1               90.24
G2            6              -12.20
G3            16              38.85
G4            25              35.87
G3A            16              25.00
G3B            21             -48.25
G3B1           21             -85.00
G3B2           23            -114.37
【０１１４】
数値実施例3
[面データ]
面番号          r             d             nd            vd
物面                ∞          (d0)
1            125.0140        1.6000      1.846664         23.78
2             60.9780        5.8200      1.729160         54.67
3            237.1670        0.1500
4             54.9130        5.0310      1.772500         49.62
5            160.5000          (d5)
6*            87.8690        0.1300      1.518400         52.10
7             58.2310        1.0000      1.883000         40.80
8             13.1150        6.0470
9            -33.0750        0.9000      1.883000         40.80
10            48.7090        0.4940
11            30.4260        5.9320      1.846664         23.78
12           -27.6160        0.7000
13           -19.0960        0.9000      1.772500         49.62
14          -136.6380         (d14)
15(開口絞り)            ∞        1.0000
16            36.6820        3.6530      1.701543         41.15
17           -31.3410        0.1500
18            31.6830        4.4000      1.437001         95.10
19           -19.6290        0.8000      2.001003         29.13
20            78.3540        2.0990
21*           -60.5000        0.9000      1.592014         67.02
22           348.3500        1.3380
23            35.3500        2.0200      1.846664         23.78
24           181.7130         (d24)
25*            40.0000        4.0990      1.592014         67.02
26*           -43.1590        0.1500
27                 ∞        1.0000      2.001003         29.13
28            35.3760        1.8020
29           -91.4090        3.9410      1.592824         68.62
30           -19.8620       38.5000
像面                ∞            BF
[非球面データ]
6面           21面          25面          26面
K               0.0000        0.0000        0.0000        0.0000
A4         1.59289E-05   2.47670E-06  -2.57400E-05   1.77300E-05
A6         3.65920E-10   4.26550E-08  -6.28600E-08  -1.03390E-07
A8        -1.40920E-10  -4.19350E-10  -5.92160E-10  -6.09800E-10
A10         8.94170E-13   0.00000E+00   0.00000E+00   0.00000E+00
[各種データ]
ズーム比            3.83
広角          中間          望遠
焦点距離           17.60         36.09         67.50
Fナンバー            2.93          3.51          4.12
全画角2ω           79.73         42.31         23.36
像高Y             14.20         14.20         14.20
レンズ全長         120.72        138.87        160.56
[可変間隔データ]
広角          中間          望遠
d0               ∞            ∞            ∞
d5             3.7000       20.0000       34.1240
d14            16.3680        6.6390        1.6000
d24             6.0980        2.1500        0.7000
BF            38.5000       54.0253       68.0795
広角          中間          望遠
d0            99.2780       81.1297       59.4405
d5             1.6362       16.8767       29.3335
d14            18.4318        9.7623        6.3905
d24             6.0980        2.1500        0.7000
BF            38.5000       54.0253       68.0793
[レンズ群データ]
群           始面           焦点距離
G1            1               90.01
G2            6              -12.13
G3            16              37.65
G4            25              42.30
G3A            16              47.24
G3B            21             120.97
G3B1           21             -87.00
G3B2           23              51.51
【０１１５】
数値実施例4
単位：mm
[面データ]
面番号             r             d             nd            vd
物面                ∞          (d0)
1            137.0700        1.6000      1.846664         23.78
2             59.7500        6.2300      1.729160         54.67
3            293.0580        0.1500
4             54.1530        5.1180      1.772500         49.62
5            160.5000          (d5)
6*            101.7240        0.1300      1.518400         52.10
7             63.5710        1.0000      1.883000         40.80
8             12.7650        5.9680
9            -33.9210        0.9000      1.883000         40.80
10            43.1660        0.6090
11            30.4990        4.8390      1.846664         23.78
12           -31.0540        0.9400
13           -18.6000        0.9000      1.593493         67.00
14          -144.7580         (d14)
15(開口絞り)            ∞        1.3330
16            29.8090        4.0680      1.581440         40.89
17           -34.2670        0.7910
18            27.3240        4.5060      1.437001         95.10
19           -22.5250        0.8000      2.001003         29.13
20          -398.5800        1.6580
21*           -60.5000        0.9000      1.592014         67.02
22           300.7490         (d22)
23*           200.0000        2.9810      1.592014         67.02
24*           -49.6660        0.6660
25           -35.5280        5.8870      1.437001         95.10
26           -20.3370        0.1500
27          -206.3350        1.0000      2.001003         29.13
28           121.9790        0.9050
29          -134.7850        3.6620      1.592824         68.62
30           -26.7740       38.4985
像面                ∞            BF
[非球面データ]
6面           21面          23面          24面
K               0.0000        0.0000        0.0000        0.0000
A4         2.30060E-05   4.80990E-06  -3.46490E-06   3.95820E-05
A6        -4.21770E-08   3.59420E-08  -8.62310E-09  -7.33460E-10
A8        -3.76100E-12  -4.77850E-10   6.00190E-10   6.97290E-10
A10         6.33140E-13   0.00000E+00   3.33570E-12   0.00000E+00
[各種データ]
ズーム比            3.83
広角          中間          望遠
焦点距離           17.60         35.97         67.44
Fナンバー            2.93          3.52          4.13
全画角2ω           79.73         42.28         23.31
像高Y             14.20         14.20         14.20
レンズ全長         122.00        140.34        162.00
[可変間隔データ]
広角          中間          望遠
d0              ∞            ∞            ∞
d5             3.7000       20.0000       34.1760
d14            15.9750        6.5080        1.5000
d22             6.1350        2.4000        1.0100
BF            38.4985       53.7361       67.6257
広角          中間          望遠
d0            98.0004       79.6649       57.9973
d5             1.6116       16.8173       29.2567
d14            18.0634        9.6907        6.4193
d22             6.1350        2.4000        1.0100
BF            38.4986       53.7361       67.6257
[レンズ群データ]
群           始面        焦点距離
G1            1               88.83
G2            6              -12.16
G3            16              40.05
G4            23              36.30
G3A            16              30.19
G3B            21             -85.00
【０１１６】
また、これらの各実施例における条件式の対応値の一覧を示す。
【０１１７】
条件式       (1)                  (2)               (3)               (4)
-2.0＜f3A/f3B＜2.0  1.5＜|f3B1/f3|＜3.0  1.0＜f1/ft＜2.0  0.3＜|f2/fw|＜1.1
EX1        0.23                 2.13              1.34              0.69
EX2       -0.52                 2.19              1.34              0.69
EX3        0.39                 2.31              1.33              0.69
EX4       -0.36                 2.12              1.32              0.69
条件式        (5)                 (6)              (7)                (8)
0.5＜f3/f4＜1.5  -3.0＜f3B1/f3B2＜2.0    ndOS＞1.55       νdOS＞55.0
EX1        1.02               -1.41            1.592014           67.02
EX2        1.08                0.74            1.592014           67.02
EX3        0.89               -1.69            1.592014           67.02
EX4        1.10                 -              1.592014           67.02
【０１１８】
なお、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【符号の説明】
【０１１９】
Ｇ１      第１レンズ群
Ｇ２      第２レンズ群
Ｇ３      第３レンズ群
Ｇ４      第４レンズ群
Ｇ３Ａ    第３Ａレンズ群
Ｇ３Ｂ    第３Ｂレンズ群
Ｇ３Ｂ１  第３Ｂ１レンズ群
Ｇ３Ｂ２  第３Ｂ２レンズ群
Ｓ        開口絞り
Ｉ        像面
【図１】
2014044243.tif 000004
【図２】
2014044243.tif 000005
【図３】
2014044243.tif 000006
【図４】
2014044243.tif 000007
【図５】
2014044243.tif 000008
【図６】
2014044243.tif 000009
【図７】
2014044243.tif 000010
【図８】
2014044243.tif 000011
【図９】
2014044243.tif 000012
【図１０】
2014044243.tif 000013
【図１１】
2014044243.tif 000014
【図１２】
2014044243.tif 000015
【図１３】
2014044243.tif 000016
【図１４】
2014044243.tif 000017
【図１５】
2014044243.tif 000018
【図１６】
2014044243.tif 000019
【図１７】
2014044243.tif 000020
【図１８】
2014044243.tif 000021
【図１９】
2014044243.tif 000022
【図２０】
2014044243.tif 000023
【図２１】
2014044243.tif 000024
【図２２】
2014044243.tif 000025
【図２３】
2014044243.tif 000026
【図２４】
2014044243.tif 000027
【図２５】
2014044243.tif 000028
【図２６】
2014044243.tif 000029
【図２７】
2014044243.tif 000030
【図２８】
2014044243.tif 000031
【図２９】
2014044243.tif 000032
【図３０】
2014044243.tif 000033
【図３１】
2014044243.tif 000034
【図３２】
2014044243.tif 000035
【図３３】
2014044243.tif 000036
【図３４】
2014044243.tif 000037
【図３５】
2014044243.tif 000038
【図３６】
2014044243.tif 000039
【図３７】
2014044243.tif 000040
【図３８】
2014044243.tif 000041
【図３９】
2014044243.tif 000042
【図４０】
2014044243.tif 000043